(57)【要約】【課題】本発明は保温飯盛付機の上端開口部に複数段の保温飯収容櫃を段積みし、各段から円滑に下降供給することによって上記盛付機への保温飯の硬化を防止し、多量の計画量を円滑に分割して供給することを目的とする。【解決手段】機枠１に設けた飯盛付機２の上端開口部２’に着脱自在に係合載置される飯保温収容櫃３と、該収容櫃３の開口上端部３’に着脱自在に順次係合載置される複数段の飯保温収容櫃３よりなり、各段の底板４が摺動自在の開閉板５よりなり、各段の上記収容櫃３の開口上端部３’に着脱自在に嵌合する上蓋６と、該上蓋６の上面に形成した凸面６’の外周面６”と上段の上記収容櫃３の底板４に形成した凸条７の内周面７’とが着脱自在に雌雄嵌合し、かつ上記上蓋６の離脱状態では上記凸条７の外周面７”がその下段の収容櫃３の開口上端部３’の内周縁と着脱自在に嵌合可能である飯保温ボックス。【選択図】  図１
2004267136.tif 000002
【特許請求の範囲】
【請求項１】
機枠に設けた飯盛付機の上端開口部に着脱自在に係合載置される飯保温収容櫃と、
該収容櫃の開口上端部に着脱自在に順次係合載置される複数段の飯保温収容櫃よりなり、
各段の底板が摺動自在の開閉板よりなり、
各段の上記収容櫃の開口上端部に着脱自在に嵌合する上蓋と、該上蓋の上面に形成した凸面の外周面と上段の上記収容櫃の底板に形成した凸条との内周面とが着脱自在に雌雄嵌合し、
かつ上記上蓋の離脱状態では上記凸条の外周面がその下段の収容櫃の開口上端部の内周縁と着脱自在に嵌合可能である飯保温ボックス。
【請求項２】
各段の上記収容櫃の上記凸条が飯盛付機の上端開口部の内周面に着脱自在に嵌合する請求項１記載の飯保温ボックス。
【請求項３】
上記開閉板の離脱による底板側面開口部を着脱自在の開閉栓で開閉する請求項１又は２記載の飯保温ボックス。
【請求項４】
上記収容櫃の開口上端部の内周面に中蓋支持段を形成し、該段に中蓋を着脱自在に嵌合させる請求項１〜３のいずれかに記載の飯保温ボックス。
【発明の詳細な説明】
【０００１】
【発明の属する技術分野】
本発明は飯盛付機の上端開口部に保温飯を供給する飯保温櫃の技術に関するものである。
【０００２】
【従来の技術】
従来の保温飯盛付機では、その上端開口部に保温飯収容ホッパを設け、該ホッパ内で飯の硬化を防止するようにした（例えば特許文献１，２）。
【０００３】
又引出式シャリ保温函を上下段に機枠に設け、加熱器で加温しながら機枠をキャスタで床面を移動させたため保温飯を盛付機に直接供給することができなかった（例えば特許文献３，４）。
【０００４】
さらに１個の保温飯カセットを起伏させて飯盛付機への供給を簡便化させた装置が開発されたが下の飯に圧が加わるため円滑な定量供給が困難であった（例えば特許文献５）。
【０００５】
【発明が解決しようとする課題】
本発明は保温飯盛付機の上端開口部に複数段の保温飯収容櫃を段積みし、各段から円滑に下降供給することによって上記盛付機への保温飯の硬化を防止し、計画供給量を円滑に供給することを目的とする。
【０００６】
【特許文献１】
特開平５−２６２３１６号公報
【特許文献２】
特開平８−２８０３３８号公報
【特許文献３】
特開平１０−１９２１５６号公報
【特許文献４】
特開平８−２２８９３９号公報
【特許文献５】
特開平７−２１３２３８号公報
【０００７】
【課題を解決するための手段】
上記の目的を達成するため本発明は
第１に機枠に設けた飯盛付機の上端開口部に着脱自在に係合載置される飯保温収容櫃と、該収容櫃の開口上端部に着脱自在に順次係合載置される複数段の飯保温収容櫃よりなり、各段の底板が摺動自在の開閉板よりなり、各段の上記収容櫃の開口上端部に着脱自在に嵌合する上蓋と、該上蓋の上面に形成した凸面の外周面と上段の上記収容櫃の底板に形成した凸条との内周面とが着脱自在に雌雄嵌合し、かつ上記上蓋の離脱状態では上記凸条の外周面がその下段の収容櫃の開口上端部の内周縁と着脱自在に嵌合可能である飯保温ボックス、
第２に各段の上記収容櫃の上記凸条が飯盛付機の上端開口部の内周面に着脱自在に嵌合する上記第１発明記載の飯保温ボックス、
第３に上記開閉板の離脱による底板側面開口部を着脱自在の開閉栓で開閉する上記第１又は第２発明記載の飯保温ボックス、
第４に上記収容櫃の開口上端部の内周面に中蓋支持段を形成し、該段に中蓋を着脱自在に嵌合させる上記第１〜第３発明のいずれかに記載の飯保温ボックス、
によって構成される。
【０００８】
【発明の実施の形態】
機枠１に保温飯盛付機２が設けられる。この盛付機２は図１に示すように上端開口部２’の内部に左右対称位置にそれぞれ３個の回転軸１２，１２を設け、左右反対方向に回転し、該回転軸１２，１２にはそれぞれ撹拌羽根１３，１３が設けられ保温飯ほぐし機１４が形成される。
【０００９】
上記ほぐし機１４の直下には保温飯下降筒１５を経て上下の交互開閉定量シャッタ１６，１６’が設けられ、両シャッタ１６，１６’間で定量された保温飯が受台又は搬送コンベア１７上のドンブリ（図示していない）内に収容されるようになっている。
【００１０】
上記盛付機２の上端開口部２’には着脱自在に係合及び符合状態に最下段飯保温収容櫃３が載置される。
【００１１】
上記収容櫃３は発泡スチロールを充填した壁板１８によって形成され、その開口上端部３’に着脱自在に順次係合載置される複数段の飯保温収容櫃３よりなる。
【００１２】
そして各段の収容櫃３の底板４は摺動自在の開閉板５によって形成され、該開閉板５は底板４の側面開口部８から内外に摺動出没し、底板４を開閉板５の把手５’によって手動で開閉することができる。
【００１３】
開閉板５を引出して側面開口部８から分離し、該開口部８には図３（ホ）図に示す開閉栓９を把手９’を把持して嵌合して開口部８を閉鎖することができる。
【００１４】
上記収容櫃３の開口上端部３’の内周面には中蓋支持段１０を形成し、該段１０に中蓋１１を着脱自在に嵌合し、取手１１’を把持して開口上端部３’を開閉することができる。
【００１５】
又上記収容櫃３の開口上端部３’には上蓋６が着脱自在に設けられ、上蓋６の外周屈曲縁６ａを開口上端部３’の外周面に嵌合し、該上蓋６の上面に凸面６’を形成する。
【００１６】
そして上記収容櫃３の底板４の外周に沿って凸条７を形成し、上段の上記収容櫃３の上記凸条７の内周面７’と下段の上蓋６の上記凸面６’の外周面６”とを着脱自在に雌雄嵌合することによって上下段の収容櫃３，３を閉鎖状態に係合させて積み重ねることができ、かつ上下面閉鎖状態のまま単独又は段積みして移動させることができる。
【００１７】
又各段の上記収容櫃３の上記凸条７は飯盛付機２の上端開口部２’の内周面に着脱自在に嵌合させることができる。
【００１８】
そこで上記飯盛付機２の上端開口部２’に最下段の上記収容櫃３の上記凸条７を係合又は嵌合させ、その上に順次中蓋１１及び上蓋６を取外した上記収容櫃３を段積みし、下段から順次底板４の開閉板５を櫃３外に取外して底板４の側面開口部８を開閉栓９で閉鎖することによって最下段の上記収容櫃３内の保温飯を飯盛付機２内に自重により供給することができる。
【００１９】
上記収容３櫃には保温飯を三升収容可能であるから図１に示すように３段で九升収容でき、飯盛付機２内に一升収容されるから合計一斗の保温飯を盛付けることができる。
【００２０】
しかし各段の収容櫃３の底板４の開閉板５を下段から順次櫃３外に引抜くことによって供給重量（供給圧）の調節が可能であり、最上段の上記収容櫃３の開閉板５を開かないで下の２段のみ保温飯を上記盛付機２に供給することによって盛付量の変化に対応することができる。
【００２１】
又開閉板５を閉鎖して底板４を閉じ、中蓋１１及び上蓋６を閉じて上記収容櫃３を必要に応じ一段又は数段毎に飯盛付機２に向って搬送する。
【００２２】
尚図４（イ）図中１８’は開閉板５の止め板、１８”は止め板１８’の枢支ピンである。
【００２３】
【発明の効果】
本発明は上述のように構成したので必要飯盛付量に応じて上中蓋を開いて飯保温収容櫃を上記飯盛付機上に安全迅速に積重ねて開閉板を手で開くだけで必要量の保温飯を供給し得るばかりでなく、
適宜開閉板を閉じることによって供給停止に対応し得るばかりでなく、
保温飯の自重による下降を適切に調整し得る効果がある。
【図面の簡単な説明】
【図１】本発明の飯保温ボックスの使用状態縦断正面図である。
【図２】図１の一部拡大図である。
【図３】（イ）図は上蓋の斜視図である。
（ロ）図は中蓋の斜視図である。
（ハ）図は飯保温収容櫃の分解斜視図である。
（ニ）図は開閉板の斜視図である。
（ホ）図は開閉栓の斜視図である。
【図４】（イ）図は飯保温収容櫃の２段搬送状態の一部切欠正面図である。
（ロ）図は（イ）図の一部拡大正面図である。
【図５】中蓋及び上蓋開放状態の上記収容櫃の斜視図である。
【図６】（イ）図は図５の平面図である。
（ロ）図は図５の底面図である。
（ハ）図は（ロ）図の斜視図である。
【図７】（イ）図は図５の縦断正面図である。
（ロ）図は（イ）図の拡大正面図である。
【符号の説明】
１      機枠
２      飯盛付機
２’    上端開口部
３      飯保温収容櫃
３’    開口上端部
４      底板
５      開閉板
６      上蓋
６’    凸面
６”    外周面
７      凸条
７’    内周面
７”    外周面
８      底板側面開口部
９      開閉栓
１０      中蓋支持段
１１      中蓋
【図１】
2004267136.tif 000003
【図２】
2004267136.tif 000004
【図３】
2004267136.tif 000005
【図４】
2004267136.tif 000006
【図５】
2004267136.tif 000007
【図６】
2004267136.tif 000008
【図７】
2004267136.tif 000009